(57)【要約】【課題】洗浄用水吐出ノズル５と給水管の接続や、洗浄用水吐出ノズル５の吐出部５ｂ２の開口方向Ｘの調整を行う際に、リム部が邪魔になることなく、洗浄用水吐出ノズル５の吐出部５ｂ２の開口方向Ｘの微調整を行うことが簡単な水洗便器を提供すること。【解決手段】支持フレーム１７の前部に便器ボウル部１を備えた便器本体前部１５を取り付け、後方の支持フレーム１７に便器付属部品支持ケース８を取り付け、便器ボウル部１にノズル挿入用孔４を貫設し、洗浄用水吐出ノズル５を、非変形性の前端筒部５ｂと可撓性の可撓管部５ａとから形成し、前端筒部５ｂから、操作用摘み部５ｃ２を有する軸部５ｃ１を突設し、便器付属部品支持ケース８にスライド用長孔８ａを貫設し、スライド用長孔８ａに軸部５ｃ１を貫通させて、ノズル挿入用孔４に洗浄用水吐出ノズル５の吐出部５ｂ２を後方から挿入する。【選択図】図１
2011153443.tif 000002
【特許請求の範囲】
【請求項１】
支持フレームの前部に便器ボウル部を備えた便器本体前部を取り付け、該便器ボウル部の後方の支持フレームに便器付属部品支持ケースを取り付ける水洗便器において、便器ボウル部の後部上部に、洗浄用水を吐出する洗浄用水吐出ノズルを挿入可能なノズル挿入用孔を貫設し、洗浄用水吐出ノズルを、前部を吐出部とした非変形性の前端筒部と該前端筒部の後端に連設する可撓性の可撓管部とから形成し、該吐出部よりも後方部分の該前端筒部から、先端に操作用摘み部を有する軸部を突設し、前記便器付属部品支持ケースに該軸部がスライド可能なスライド用長孔を貫設し、該スライド用長孔に該軸部を貫通させて前記洗浄用水吐出ノズルを便器付属部品支持ケースに取り付け、前記ノズル挿入用孔に洗浄用水吐出ノズルの吐出部を後方から挿入したことを特徴とする水洗便器。
【請求項２】
前記スライド用長孔の中で前記軸部をスライド自在且つ軸回転自在としたことを特徴とする請求項１記載の水洗便器。
【発明の詳細な説明】
【技術分野】
【０００１】
本発明は、水洗便器に関するものであり、詳しくは、便器ボウル部に洗浄用水を吐出する洗浄用水吐出ノズルの開口方向を調整可能な水洗便器に関するものである。
【背景技術】
【０００２】
従来から、便器ボウル部に洗浄用水を吐出する洗浄用水吐出ノズルの開口方向を調整可能な水洗便器として、図５に示す特許文献１記載の水洗便器が提案されている。
【０００３】
この水洗便器は、便器ボウル部１と、その上端から便器ボウル部１の内側に向かって延設されるリム部１３と、洗浄用水の給水を行う給水管６と、給水管６に接続されて洗浄用水を便器ボウル部１に吐出する洗浄用水吐出ノズル５と、から主体が構成される。
【０００４】
詳しくは、給水管６は、便器ボウル部１の後方に配置されていて、上水道（図示なし）に接続されている。また、便器ボウル部１の後部上部には、洗浄用水吐出ノズル５が挿入可能なノズル挿入用孔４が貫設されている。また、洗浄用水吐出ノズル５は、前部を吐出部５ｂ２とした非変形性の前端筒部５ｂとその後端に連設される可撓性の可撓管部５ａとから形成されている。また、ノズル挿入用孔４部分で、洗浄用水吐出ノズル５の可撓管部５ａと給水管６とが接合されている。また、リム部１３は、洗浄用水吐出ノズル５を上方から覆っている。また、洗浄用水吐出ノズル５の吐出部５ｂ２から吐出される洗浄用水が、便器ボウル部１の上端開口周方向に旋回して流れるように、洗浄用水吐出ノズル５が調整されている。
【０００５】
上記水洗便器において、可撓管部５ａと、給水管６とを接合するためには、便器ボウル部１の内側から、ノズル挿入用孔４に可撓管部５ａを差し込んで、便器ボウル部１の後方に配置された給水管６に接合させなければならず、リム部１３が邪魔になって、接合する施工がし難いという問題があった。
【０００６】
また、洗浄用水吐出ノズル５の吐出部５ｂ２の開口方向Ｘを調整するためには、洗浄用水吐出ノズル５の前端筒部５ｂを直接手で掴んで操作しなければならず、リム部１３が邪魔になって、微調整がし難いという問題があった。
【先行技術文献】
【特許文献】
【０００７】
【特許文献１】特開２００２−３３２６７８号公報
【発明の概要】
【発明が解決しようとする課題】
【０００８】
本発明は上記事情に鑑みて発明したものであって、洗浄用水吐出ノズルと給水管の接続や、洗浄用水吐出ノズルの吐出部の開口方向の調整を行う際に、リム部が邪魔になることなく、洗浄用水吐出ノズルの吐出部の開口方向の微調整を行うことが簡単な水洗便器を提供することを課題とする。
【課題を解決するための手段】
【０００９】
上記課題を解決するために本発明の水洗便器は、支持フレーム１７の前部に便器ボウル部１を備えた便器本体前部１５を取り付け、該便器ボウル部１の後方の支持フレーム１７に便器付属部品支持ケース８を取り付ける水洗便器において、便器ボウル部１の後部上部に、洗浄用水を吐出する洗浄用水吐出ノズル５を挿入可能なノズル挿入用孔４を貫設し、洗浄用水吐出ノズル５を、前部を吐出部５ｂ２とした非変形性の前端筒部５ｂと該前端筒部５ｂの後端に連設する可撓性の可撓管部５ａとから形成し、該吐出部５ｂ２よりも後方部分の該前端筒部５ｂから、先端に操作用摘み部５ｃ２を有する軸部５ｃ１を突設し、前記便器付属部品支持ケース８に該軸部５ｃ１がスライド可能なスライド用長孔８ａを貫設し、該スライド用長孔８ａに該軸部５ｃ１を貫通させて前記洗浄用水吐出ノズル５を便器付属部品支持ケース８に取り付け、前記ノズル挿入用孔４に洗浄用水吐出ノズル５の吐出部５ｂ２を後方から挿入したことを特徴とする。
【００１０】
上述のように、洗浄用水吐出ノズル５は、便器ボウル部１の後方に取り付けられる便器付属部品支持ケース８に取り付けられていて、ノズル挿入用孔４に後方から挿入するような構成となっている。よって、洗浄用水吐出ノズル５は、予め便器ボウル部１の後方に位置することになり、従来例のように洗浄用水吐出ノズル５を便器ボウル部１の内側からノズル挿入用孔４に差し込むことがないので、リム部１３が邪魔になることはない。また、洗浄用水吐出ノズル５の吐出部５ｂ２の開口方向Ｘの調整を行うには、洗浄用水吐出ノズル５から突設させた軸部５ｃ１の先端の操作用摘み部５ｃ２を指で摘んで、便器付属部品支持ケース８に貫設したスライド用長孔８ａに沿って、軸部５ｃ１をスライドさせればよい。すなわち、その調整は、便器ボウル部１の後方で行われ、従来例のように洗浄用水吐出ノズル５を便器ボウル部１の内側で調整することがないので、リム部１３が邪魔になることはない。また、その調整は、スライド用長孔８ａにガイドされて行うので、洗浄用水吐出ノズル５を手で掴んで開口方向Ｘの調整を行うのに比べて、微調整を簡単に行うことができる。
【００１１】
また、スライド用長孔８ａの中で軸部５ｃ１をスライド自在且つ軸回転自在とすることが好ましい。
【００１２】
このような構成としたことで、操作用摘み部５ｃ２を指で摘んでスライド用長孔８ａに軸部５ｃ１を沿わせてスライド操作するだけでなく、併せて操作用摘み部５ｃ２を回転させて軸部５ｃ１を軸回転操作すれば、洗浄用水吐出ノズル５の吐出部５ｂ２の開口方向Ｘの微調整を更に高い自由度で細かくできる。
【発明の効果】
【００１３】
本発明の水洗便器は、洗浄用水吐出ノズルと給水管の接続や、洗浄用水吐出ノズルの吐出部の開口方向の調整を行う際に、リム部が邪魔になることなく、微調整を簡単に行うことができる。
【００１４】
また、スライド用長孔の中で軸部をスライド自在且つ軸回転自在とすることで、洗浄用水吐出ノズルの吐出口の開口方向の微調整を更に高い自由度で細かくできる。
【図面の簡単な説明】
【００１５】
【図１】本発明の実施形態の水洗便器の構造を示す分解斜視図である。
【図２】本発明の実施形態の水洗便器の要部構造を示し、（ａ）は便器本体前部の背面分解斜視図であり、（ｂ）は便器付属部品支持ケースの背面斜視図であり、（ｃ）は同便器付属部品支持ケースの下面図である。
【図３】本発明の実施形態の洗浄用水吐出ノズルの取付部分を示し、（ａ）は斜視図であり、（ｂ）は平面図であり、（ｃ）は（ｂ）のＡ−Ａ線における断面図である。
【図４】（ａ）〜（ｄ）は、同実施形態の洗浄用水吐出ノズルの吐出部の開口方向の変更を表した平面図である。
【図５】従来の水洗便器の構造を示す側面断面図である。
【発明を実施するための形態】
【００１６】
本発明を添付図面に示す実施形態に基づいて説明する。まず、本発明の実施形態の水洗便器の基本構造について説明する。
【００１７】
図１に示すように、便器本体７は、支持フレーム１７、便器ボウル部１を備えた便器本体前部１５、便器付属部品支持ケース８、後部カバー１６、側部カバー１９、及び便座２０と便蓋２１を備えた上部カバー２２から主体が構成される。
【００１８】
図２（ａ）に示すように、便器本体前部１５は、水平断面略Ｃ字状のスカート部１８と、その内側の上部に嵌合される便器ボウル部１と、さらにその上に嵌合されるリム部１３とが溶着一体化されて構成される。便器本体前部１５はその主体部分が合成樹脂製となっているが、一部又は全部が陶器製であってもよい。
【００１９】
リム部１３は、便器ボウル部１の上端開口縁部全周にわたって便器ボウル部１の内側に向かって延びた略水平部、及びその先端から略垂直方向に向かって延びる略垂直部から構成される。リム部１３の後部部分には、開口部１３ａが設けてある。
【００２０】
便器ボウル部１の上部には、便器ボウル部１の内側に向けて開口する洗浄用水案内凹部１４が全周にわたって形成してある。便器ボウル部１の後部側端の一端部に位置する洗浄用水案内凹部１４の開口奥部には、後述の洗浄用水吐出ノズル５を挿入可能なノズル挿入用孔４が、後方に向けて貫設されている。便器ボウル部１の底部には水溜め部２９が形成されていて、その後部には後方に向けて排水筒部２８を貫設している。
【００２１】
上記のような構成の便器本体前部１５が、金属製の支持フレーム１７の前部にねじ具等により取り付けられる。その後、この支持フレーム１７に、モータで一端が上下回動するトラップを内蔵したトラップケース（図示せず）を取り付けると共に、トラップの一端部を便器ボウル部１に設けた排水筒部２８に接続する。なお、上記トラップケースを取り付けるのではなく、予め排水筒部２８にトラップが連設されているようなものであっても構わない。
【００２２】
便器付属部品支持ケース８には、図２（ｂ）に示すように、洗浄用水吐出ノズル５、給水管６、局部洗浄用の温水洗浄装置９、人体の局部乾燥用の送風装置１１、便器ボウル部１内の臭気を脱臭するための脱臭装置２４等の便器付属部品が取り付けてある。温水洗浄装置９、送風装置１１、脱臭装置２４は、リム部１３に設けた開口部１３ａを通して、それぞれ局部洗浄、局部乾燥、脱臭を行う。
【００２３】
給水管６は、便器ボウル部１へ吐出する洗浄用水の給水を行うためのものであり、上流端（図示せず）が上水道（図示せず）に接続されている。図２（ｃ）に示すように、便器付属部品支持ケース８に固設した給水管６の下流端６ａは、便器付属部品支持ケース８の下面に位置している。その下流端６ａには、洗浄用水吐出ノズル５が接合されている。なお、この接合は便器付属部品支持ケース８の下面側にて行われる。すなわち、従来例のように便器ボウル部１の内側からノズル挿入用孔４に洗浄用水吐出ノズル５を挿入して接合するといった施工をするものではない。洗浄用水吐出ノズル５は、便器付属部品支持ケース８の下面の、便器ボウル部１に設けたノズル挿入用孔４に対応する位置に取り付けられている。
【００２４】
便器付属部品支持ケース８は、支持フレーム１７の後部上面（便器ボウル部１の後方の支持フレーム１７）に、ねじ具等により取り付けられて支持される。このようにして、支持フレーム１７の前部に取り付けた便器本体前部１５に対して、便器付属部品支持ケース８は後方に取り付けられて位置決めされる。その際、洗浄用水吐出ノズル５の先端の吐出部５ｂ２は便器ボウル部１のノズル挿入用孔４に挿入されて、吐出部５ｂ２がノズル挿入用孔４内に位置した状態となる。
【００２５】
この状態で、洗浄用水吐出ノズル５から洗浄用水を吐出させると、洗浄用水は洗浄用水案内凹部１４にガイドされて便器ボウル部１の上端開口周方向に旋回しながら流れて、便器ボウル部１内を洗浄する。
【００２６】
本発明の実施形態の洗浄用水吐出ノズル５部分の構成についてさらに詳しく説明する。
【００２７】
図３（ａ）に示すように、洗浄用水吐出ノズル５は、前端筒部５ｂと、可撓管部５ａと、操作レバー５ｃと、から形成される。
【００２８】
可撓管部５ａは、可撓性のホース（中空の管）で構成され、ＥＰＤＭ（エチレンプロピレンジエンゴム）で形成されている。
【００２９】
前端筒部５ｂは、非変形性の一直線状の筒体で構成され、樹脂で形成されている。前端筒部５ｂの前部は洗浄用水が吐出する吐出部５ｂ２となっていて、その後方部分を前端筒部後部５ｂ１とする。図３（ｃ）に示すように、吐出部５ｂ２は、前端筒部後部５ｂ１と内径が同じで、外径は小さくなるように形成されている。上記一直線状の方向が吐出部５ｂ２の先端の吐出口５ｂ３の開口方向Ｘとなる。この開口方向Ｘは、前端筒部５ｂの内側を流れる洗浄用水の流れ方向と、吐出口５ｂ３から吐出される洗浄用水の吐出方向と、一致する。また、吐出部５ｂ２の外径はノズル挿入用孔４の内径よりも小さく形成されていて、ノズル挿入用孔４内で、吐出部５ｂ２の先端の吐出口５ｂ３の開口方向Ｘが変更可能となっている。
【００３０】
前端筒部後部５ｂ１の上流側の端部には、全周に亘って可撓管部５ａの下流側の端部５ａ１を差し込むための差込凹部５ｂ４が形成されている。なお、差込凹部５ｂ４は、端部５ａ１部分の厚み（内径と外径の差）よりも狭く形成されている。この差込凹部５ｂ４に可撓管部５ａの端部５ａ１が圧入されて、前端筒部５ｂと可撓管部５ａとは連設された状態となっている。
【００３１】
また、前端筒部５ｂの吐出部５ｂ２より後方部分（前端筒部後部５ｂ１）の外周面からは、略Ｔ字状の操作レバー５ｃが突設されている。操作レバー５ｃは、先端に操作用摘み部５ｃ２を有する軸部５ｃ１で構成され、樹脂で形成されている。前端筒部後部５ｂ１と軸部５ｃ１と操作用摘み部５ｃ２とは、一体に形成されている。なお、それぞれを固着させるようなものであっても構わない。
【００３２】
軸部５ｃ１は、前端筒部後部５ｂ１の外周面から垂直方向に突設され、水平断面円状の円柱又は円筒で形成される。
【００３３】
操作用摘み部５ｃ２は、軸部５ｃ１の突出先端から直交するように、略直方体状で形成される。また、操作用摘み部５ｃ２の上端面は、指で操作しやすいように滑り止めのための凹凸加工がなされている。略直方体状の操作用摘み部５ｃ２は、長手方向が吐出口５ｂ３の開口方向Ｘと一致するように設けていて、操作用摘み部５ｃ２を見れば、開口方向Ｘがどの方向を向いているのか確認できるようになっている。なお、操作用摘み部５ｃ２は、長手方向が吐出口５ｂ３の開口方向Ｘと一致するように設けなくても構わない。
【００３４】
便器付属部品支持ケース８には、操作レバー５ｃの軸部５ｃ１がスライド可能なスライド用長孔８ａが上下方向に貫設されている。スライド用長孔８ａは、前後方向に対して略垂直な左右方向に長い長孔で形成される。便器付属部品支持ケース８のスライド用長孔８ａの深さ（上下方向の長さ）は、操作レバー５ｃの軸部５ｃ１の長さよりも短く形成されている。スライド用長孔８ａの前後方向の幅は、円柱状の軸部５ｃ１の径と略同じ長さで形成されている。
【００３５】
なお、略直方体状の操作用摘み部５ｃ２の短手方向（左右方向）の幅は、軸部５ｃ１の径と同じ幅以下で形成されていて、長手方向（前後方向）の長さは、スライド用長孔８ａの長手方向の長さよりも短く形成されている。このような寸法で形成することで、スライド用長孔８ａに操作レバー５ｃを下方から挿入できる。
【００３６】
上述のような構成としたスライド用長孔８ａに、洗浄用水吐出ノズル５の軸部５ｃ１を貫通させて、便器付属部品支持ケース８に洗浄用水吐出ノズル５をスライド自在に取り付ける。この時、操作用摘み部５ｃ２の下面は、スライド用長孔８ａ近傍の便器付属部品支持ケース８の上面に当接している。洗浄用水吐出ノズル５は、後端部分が、便器付属部品支持ケース８に固定された給水管６に固定され、前端部分が、便器付属部品支持ケース８のスライド用長孔８ａ部分で支持された状態となっている。
【００３７】
洗浄用水吐出ノズル５の吐出部５ｂ２の開口方向Ｘの調整を行うには、洗浄用水吐出ノズル５の操作用摘み部５ｃ２を指で摘んで、便器付属部品支持ケース８のスライド用長孔８ａに沿って、軸部５ｃ１をスライドさせる。左右方向にスライドさせれば、図４（ａ）、（ｂ）に示すように、開口方向Ｘを左右方向に変更することができる。
【００３８】
また、操作用摘み部５ｃ２を指で摘んで回転させれば、図４（ｃ）、（ｄ）に示すように、開口方向Ｘを変更することができる。
【００３９】
以上のようにして、洗浄用水吐出ノズル５の吐出口５ｂ３の開口方向Ｘを調整した後、その開口方向Ｘを固定する。開口方向Ｘの固定が終わったら、洗浄用水吐出ノズル５の吐出部５ｂ２と便器ボウル部１のノズル挿入用孔４との隙間にシール剤を注入してシールする。
【００４０】
ここで、開口方向Ｘを固定する方法としては、洗浄用水吐出ノズル５の吐出部５ｂ２と便器ボウル部１のノズル挿入用孔４との隙間に固化するシール剤を注入する方法や、軸部５ｃ１とスライド用長孔８ａの間に接着剤を注入する方法や、可撓管部５ａに固化剤を付けて固化させる方法等があり、特に限定はしない。
【００４１】
なお、スライド用長孔８ａの前後方向の幅を、円柱状の軸部５ｃ１の径より少し狭く形成し、軸部５ｃ１がスライド用長孔８ａに強い力で狭持されるようにして、開口方向Ｘを固定するようにしてもよい。このようにすれば、上記のような方法を取らなくても、開口方向Ｘを固定することができる。この場合、軸部５ｃ１とスライド用長孔８ａとの間に発生する摩擦力を超える力を加えれば、洗浄用水吐出ノズル５の開口方向Ｘを調整することができ、開口方向Ｘを１度設定した後でも、再度調整することも可能となる。また、スライド用長孔８ａの前後方向の幅を、円柱状の軸部５ｃ１の径よりも長く形成しておき、軸部５ｃ１の廻りにリング状の弾性部材を外嵌させて、軸部５ｃ１が弾性部材を介してスライド用長孔８ａによって強い力で狭持されるようにしてもよい。
【００４２】
本発明の実施形態の水洗便器は上述のような構成となっているので、洗浄用水吐出ノズル５と給水管６を接続する施工、及び洗浄用水吐出ノズル５の吐出部５ｂ２の開口方向Ｘの調整は、どちらも、便器ボウル部１の後方で行うことができる。よって、便器ボウル部１の内側で行わないので、便器ボウル部１の上端に設けたリム部１３が邪魔になることはない。また、洗浄用水吐出ノズル５の吐出部５ｂ２の開口方向Ｘの調整は、スライド用長孔８ａにガイドされて、軸部５ｃ１をスライドさせれば良いだけなので、洗浄用水吐出ノズル５を手で掴んで開口方向Ｘの調整を行うのに比べて、開口方向Ｘの微調整を簡単に行うことができる。また、操作用摘み部５ｃ２を指で摘んで、スライド用長孔８ａに軸部５ｃ１を沿わせてスライド操作するだけでなく、併せて操作用摘み部５ｃ２を回転させて軸部５ｃ１を軸回転操作すれば、開口方向Ｘの微調整を更に高い自由度で細かくできる。
【００４３】
また、便器ボウル部１の内側の形状に合せて、開口方向Ｘを微調整するようにすれば、様々な形状の便器ボウル部１に対応可能となる。また、操作レバー５ｃは、スライド操作及び軸回転操作を自動で行われるような構造になっていてもよい。そうすれば、開口方向Ｘを最適な方向に自動で調整することも可能となる。
【００４４】
なお、上記実施形態の水洗便器においては、ノズル挿入用孔４を、ノズル挿入用孔４から吐出される洗浄用水の水圧の圧力損失を最も抑えることのできる方向に向けて貫設すれば、その方向に開口方向Ｘを一致させることができる。このようにすれば、洗浄用水吐出ノズル５から吐出させる洗浄水が小便洗浄用の低水圧モードであっても、便器ボウル部１全体に旋回流を行き渡らせて、便器ボウル部１を洗浄可能とすることも可能となる。
【００４５】
なお、開口方向Ｘの調整は、便器付属部品支持ケース８を支持フレーム１７に取り付ける前に行っても構わないし、取り付けた後に行っても構わない。
【００４６】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４７】
１      便器ボウル部
４      ノズル挿入用孔
５      洗浄用水吐出ノズル
５ａ    可撓管部
５ａ１  端部
５ｂ    前端筒部
５ｂ１  後部部分
５ｂ２  吐出部
５ｂ３  吐出口
５ｂ４  差込凹部
５ｃ    操作レバー
５ｃ１  軸部
５ｃ２  操作用摘み部
６      給水管
６ａ    下流端
７      便器本体
８      便器付属部品支持ケース
８ａ    スライド用長孔
９      温水洗浄装置
１１    送風装置
１３    リム部
１３    開口部
１４    洗浄用水案内凹部
１５    便器本体前部
１６    後部カバー
１７    支持フレーム
１８    スカート部
１９    側部カバー
２０    便座
２１    便蓋
２２    上部カバー
２４    脱臭装置
２８    排水筒部
２９    水溜め部
Ｘ      開口方向
【図１】
2011153443.tif 000003
【図２】
2011153443.tif 000004
【図３】
2011153443.tif 000005
【図４】
2011153443.tif 000006
【図５】
2011153443.tif 000007